【手続補正書】
【提出日】平成28年11月15日(2016.11.15)
【手続補正１】
【補正対象書類名】特許請求の範囲
【補正対象項目名】全文
【補正方法】変更
【補正の内容】
【特許請求の範囲】
【請求項１】
着座したユーザを支持するように構成した第１のいす部材；
第２のいす部材であって、前記第２のいす部材が前記第１のいす部材と実質的に同一平面である第１の位置と、前記第２のいす部材が前記第１のいす部材と実質的に平行である第２の位置との間を移動可能である第２のいす部材；
前記第１のいす部材の少なくとも一部分及び前記第２のいす部材の少なくとも一部分の周りを覆うカバー部材；並びに
前記第２のいす部材が前記第１の位置にあるときに前記第１のいす部材の前記少なくとも一部分及び前記第２のいす部材の前記少なくとも一部分の周りで前記カバー部材を引っ張るために、前記カバー部材と動作可能に結合した１本の引き紐を備え、
前記第２のいす部材が前記第１の位置から前記第２の位置に移動したときに、前記第１のいす部材の少なくとも一部分の周りと、前記第２のいす部材の少なくとも一部分の周りを前記カバー部材が覆いつづけている、
いす構成要素
【請求項２】
前記引き紐は前記第１のいす部材と当接する、請求項１に記載のいす構成要素。
【請求項３】
前記引き紐は、前記第１のいす部材とは別個の少なくとも１つの締め具によって前記第１のいす部材に固着される、請求項１又は２に記載のいす構成要素。
【請求項４】
前記少なくとも１つの締め具は、少なくとも１つのかすがいを含む、請求項３に記載のいす構成要素。
【請求項５】
前記第１のいす部材は、前面、後面、及び前記後面から後方に延在する少なくとも１つの隆起部分を含み、前記少なくとも１つの締め具は、前記少なくとも１つの隆起部分内に受け入れられる、請求項３又は４に記載のいす構成要素。
【請求項６】
前記第１のいす部材の前記前面及び前記第１のいす部材の前記後面は、前記第１のいす部材の前記前面と前記第１のいす部材の前記後面との間の第１の厚さを画定し、前記第１のいす部材の前記前面及び前記少なくとも１つの隆起部分は、前記第１の厚さよりも大きい、前記第１のいす部材の前記前面と前記少なくとも１つの隆起部分との間の第２の厚さを画定する、請求項５に記載のいす構成要素。
【請求項７】
前記第１のいす部材は、前面、後面、及び前記後面から後方に延在する少なくとも１つの隆起部分を含み、前記カバーは、前記隆起部分と位置合わせされる、請求項３〜５のうちいずれか一項に記載のいす構成要素。
【請求項８】
前記第１のいす部材は、少なくとも１つの結合器を含み、前記第２のいす部材は、前記第１の結合器を係合する少なくとも１つの第２の結合器を含み、それにより、前記第２のいす部材が前記第２の位置にあるときに前記第２のいす部材を前記第１のいす部材に固着する、請求項１〜７のうちいずれか一項に記載のいす構成要素。
【請求項９】
前記少なくとも１つの第１の結合器及び前記少なくとも１つの第２の結合器は、迅速連結締め具を含む、請求項８に記載のいす構成要素。
【請求項１０】
前記カバー部材は、布部分、及び前記布部分の縁部に近接して位置する引き紐用トンネルを含み、前記引き紐は、前記引き紐用トンネル内に受け入れられる、請求項１〜９のうちいずれか一項に記載のいす構成要素。
【請求項１１】
前記引き紐用トンネル及び前記引き紐は、少なくとも１つの締め具によって前記第１のいす部材の後面に固着される、請求項１０に記載のいす構成要素。
【請求項１２】
前記布は、少なくとも１つの方向に弾性的に変形可能である、請求項１０又は１１に記載のいす構成要素。
【請求項１３】
前記いす構成要素は、いす背部組立体を備える、請求項１〜１２のうちいずれか一項に記載のいす構成要素。
【請求項１４】
前記第２のいす部材は、背部座席シェルを構成する、請求項１〜１３のうちいずれか一項に記載のいす構成要素。
【請求項１５】
着座したユーザを支持するように構成した第１のいす部材；
第２のいす部材であって、前記第２のいす部材が前記第１のいす部材と実質的に同一平面であり前記第２のいす部材が前記第１のいす部材から離間する第１の位置と、前記第２のいす部材が前記第１のいす部材と接触する第２の位置との間を移動可能な第２のいす部材；
前記第１のいす部材の少なくとも一部分及び前記第２のいす部材の少なくとも一部分の周りを覆うカバー部材；並びに
前記第２のいす部材が前記第１の位置にあるときに前記第１のいす部材の前記少なくとも一部分及び前記第２のいす部材の前記少なくとも一部分の周りで前記カバー部材を引っ張るために、前記カバー部材と動作可能に結合した１本の引き紐を備え、
前記第２のいす部材が前記第１の位置から前記第２の位置に移動したときに、前記第１のいす部材の少なくとも一部分の周りと、前記第２のいす部材の少なくとも一部分の周りを前記カバー部材が覆いつづけている、
いす構成要素。
【請求項１６】
前記引き紐は、前記第１のいす部材と当接する、請求項１５に記載のいす構成要素。
【請求項１７】
前記いす構成要素は、いす背部組立体を備える、請求項１５又は１６に記載のいす構成要素。
【請求項１８】
前記第２のいす部材は、背部座席シェルを構成する、請求項１７に記載のいす構成要素。
【請求項１９】
背部枠組立体；
前記背部枠組立体に動作可能に結合し、着座したユーザを支持するように構成した背部支持組立体であって、前記背部支持組立体は、前記背部枠組立体に対する第１の位置と、前記第１の位置とは異なる、前記背部枠組立体に対する第２の位置との間を移動可能であり、前記背部枠組立体及び前記背部支持組立体は、前記背部枠組立体と前記背部支持組立体との間の間隙を画定するように協働し、前記間隙は、前記背部支持組立体が前記第１の位置にあるときの第１の距離、及び前記背部支持組立体が前記第２の位置にあるときの前記第１の距離よりも大きい第２の距離を画定する、背部支持組立体と、；
前記背部支持組立体が前記第１の位置と前記第２の位置との間を移動するときに前記間隙へのアクセスを低減するために前記間隙を実質的に塞ぐ遮蔽部材と、
を備えるいす背部組立体。
【請求項２０】
前記遮蔽部材は、前記背部支持組立体が前記第１の位置と前記第２の位置との間を移動するときに前記背部枠部材組立体及び前記背部支持組立体のうち選択した１つに沿って摺動可能に追従する、請求項１９に記載のいす背部組立体。
【請求項２１】
前記背部枠組立体は、水平延在枠部分を含み、前記背部支持組立体は、後向き後面を有する背部シェルを含み、前記間隙は、前記水平延在枠部分と前記背部シェルの前記後面との間に画定される、請求項１９又は２０に記載のいす背部組立体。
【請求項２２】
前記遮蔽部材は、前記水平延在枠部分を摺動可能に係合する、請求項２１に記載のいす背部組立体。
【請求項２３】
前記遮蔽部材は、前記水平延在枠部分を摺動可能に係合する弓形状面を含む、請求項２１又は２２に記載のいす背部組立体。
【請求項２４】
前記遮蔽部材の少なくとも一部分は、前記水平延在枠部分と前記背部シェルとの間に位置する、請求項２１〜２３のうちいずれか一項に記載のいす背部組立体。
【請求項２５】
前記遮蔽部材の少なくとも一部分は、前記背部枠組立体と前記背部支持組立体との間に位置する、請求項１９〜２４のうちいずれか一項に記載のいす背部組立体。
【請求項２６】
前記遮蔽部材は、前記背部枠部材及び前記背部支持部材のうち選択した１つを摺動可能に係合する弓形状面を含む、請求項１９に記載のいす背部組立体。
【手続補正２】
【補正対象書類名】明細書
【補正対象項目名】０００２
【補正方法】変更
【補正の内容】
【０００２】
本発明の一態様は、着座したユーザを支持するように構成した第１のいす部材、第２のいす部材であって、第２のいす構成要素が第１のいす部材と実質的に同一平面である第１の位置と、第２のいす部材が第１のいす部材と実質的に平行である第２の位置との間を移動可能である第２のいす部材、第１のいす部材の少なくとも一部分及び第２のいす部材の少なくとも一部分の周りを覆うカバー部材、並びに第２のいす部材が第１の位置にあるときに第１のいす部材の少なくとも一部分及び第２のいす部材の少なくとも一部分の周りでカバー部材を引っ張るために、カバー部材と動作可能に結合した１本の引きひもを備えるいす構成要素を提供することである。
【手続補正３】
【補正対象書類名】明細書
【補正対象項目名】００１０
【補正方法】変更
【補正の内容】
【００１０】
【図１】本発明を具体化したいす組立体の正面斜視図である。
【図２】いす組立体の背部斜視図である。
【図３】いす組立体を下側位置及び破線の引上げ位置で示すいす組立体、並びに座席組立体を後退位置及び破線の伸長位置で示す座席組立体の側面図である。
【図４】いす組立体を直立位置及び破線の傾斜位置で示すいす組立体の側面図である。
【図５】座席組立体の分解図である。
【図６】ばね支持組立体を示すために座席組立体の一部分が取り除かれた、いす組立体の拡大斜視図である。
【図７】背部組立体の正面斜視図である。
【図８】背部組立体の側面図である。
【図９Ａ】背部組立体の分解正面斜視図である。
【図９Ｂ】背部組立体の分解後面斜視図である。
【図１０】図９Ａの領域Ｘの拡大斜視図である。
【図１１】図２の領域ＸＩの拡大斜視図である。
【図１２】図７の線ＸＩＩ−ＸＩＩに沿った上側背部枢動組立体の断面図である。
【図１３】図９Ｂの領域ＸＩＩＩの拡大斜視図である。
【図１４】図１３の線ＸＩＶ−ＸＩＶに沿った快適部材の断面側面図である。
【図１５Ａ】快適部材及び腰部組立体の拡大斜視図である。
【図１５Ｂ】快適部材及び腰部組立体の後面斜視図である。
【図１６Ａ】つめ部材の正面斜視図である。
【図１６Ｂ】つめ部材の後面斜視図である。
【図１７】図１５Ｂの線ＸＶＩＩ−ＸＶＩＩに沿った部分断面斜視図である。
【図１８Ａ】背部支持組立体を組み立てるステップを示す分解斜視図である。
【図１８Ｂ】点線で示す固定具を有する、背部支持組立体を組み立てるステップを示す分解斜視図である。
【図１８Ｃ】背部支持組立体を組み立てるステップを示す分解斜視図である。
【図１８Ｄ】背部支持組立体を組み立てるステップを示す分解斜視図である。
【図１９】図９Ｂの領域ＸＩＸの斜視図である。
【図２０Ａ】図１８Ａの領域ＸＸＡの斜視図である。
【図２０Ｂ】図１８Ｂの領域ＸＸＢの斜視図である。
【図２０Ｃ】図２０Ａに示す実施形態への代替実施形態の図である。
【図２１Ａ】引き紐を快適部材に固着するステップの図である。
【図２１Ｂ】引き紐を快適部材に固着するステップの図である。
【図２１Ｃ】引き紐を快適部材に固着するステップの図である。
【図２１Ｄ】引き紐を快適部材に固着するステップの図である。
【図２１Ｅ】引き紐を快適部材に固着するステップの図である。
【図２１Ｆ】引き紐を快適部材に固着するステップの図である。
【図２１Ｇ】引き紐を快適部材に固着するステップの図である。
【図２１Ｈ】引き紐を快適部材に固着するステップの図である。
【図２２】背部組立体の斜視図である。
【図２３】図２２の線ＸＸＩＩＩ−ＸＸＩＩＩに沿った背部組立体の断面上面図である。
【図２４】背部支持組立体の内部構成要素を見せるために外側構成要素が取り除かれた背部支持組立体の斜視図である。
【図２５】いす組立体の斜視図である。
【図２６】図２５のいす組立体の正面図である。
【図２７】図２５のいす組立体の第１の側面図である。
【図２８】図２５のいす組立体の第２の側面図である。
【図２９】図２５のいす組立体の後面図である。
【図３０】図２５のいす組立体の上面平面図である。
【図３１】図２５のいす組立体の底面平面図である。
【手続補正４】
【補正対象書類名】明細書
【補正対象項目名】００２３
【補正方法】変更
【補正の内容】
【００２３】
組立て時、つめ部材２１２（図１７）は、つめ部材２１２の筐体部分２１６の外側面２２０が快適部材１８４の前方面１９３と同一平面になるように、且つ筐体部分２１６の係合タブ２１８が快適部材１８４の後方面１９５と当接するように、快適部材１８４の上側部分１８８内に位置するアパーチャ２２６内に位置決めされる。次に、腰部組立体１８６の支持部分２１０は、スリーブ２０６が快適部材１８４の中で摺動可能であり、つめ２２４がアパーチャ２１４と選択的に係合できるように、快適部材１８４のスリーブ２０６内に位置決めされ、それにより、ユーザは、背部支持組立体９９全体に対する腰部組立体１８６の位置を最適化できる。具体的には、腰部組立体１８６の本体部分２０８は、それぞれがコの字型断面構成を有する、外方に延在する一対の一体化柄部分２５１を含み（図１８Ｄ）、これらコの字型断面構成は、背部シェル１１２のそれぞれの側縁部１９２周りを覆い、それに沿って案内される。
【手続補正５】
【補正対象書類名】明細書
【補正対象項目名】００２９
【補正方法】変更
【補正の内容】
【００２９】
図２１Ａ〜図２１Ｈに最良に示すように、引き紐３３６は、ぴんと引っ張られ、次に、引き紐３３６の各自由端は、結び目を作らず、快適部材１８４とは別個の機械的締め具を使用せずに関連する取付け部材３２２に固着され、それにより、残りの組立て工程を通して引き紐３３６の効果的な長さを固定する。引き紐３３６は、取付け部材３２２周りの引き紐３３６の張力が凹部３２９に向かって角度の付いた係合面３３２に対して引き紐３３６を強制的に押し付けるように、関連する取付け部材３２２の周りに巻き付けられ、それにより、引き紐３３６の一部分は強制的に凹部３２９に入り、凹部３２９の縁部３３４の少なくとも一部分と係合し、引き紐３３６と快適部材１８４との間の摩擦係合が増大することになる。次に、腰部組立体１８６は、腰部組立体１８６の本体部分２７２がカバー組立体３００の中間区分３１２付近に位置するように、カバー組立体３００、クッション部材２５２及び快適部材１８４の組立体と位置合わせされ、腰部組立体１８６の支持部分２１０は、上記のように快適部材１８４と結合される。次に、垂れ蓋部分３１０は、腰部組立体１８６上に折り返され、それにより内部空間３５０を有する更なるポケット３４８（図１８Ｄ）をもたらす。垂れ蓋部分３１０の遠位に位置する縁部３５２は、垂れ蓋部分３１０が複数のアパーチャ３５４を通してフック３２４を受け入れた状態で、複数のアパーチャ３５４によって快適部材１８４に取り付けられる。遠位端３５２は、カバー組立体３００の後側３０４にも縫い合わせられる。図示の例では、垂れ蓋部分３１０の側縁部３５６は、カバー組立体３００の残り部分には取り付けられず、そのため、側縁部３５６は、腰部組立体１８６の柄部分２５１が貫通する溝３６０を形成するようにカバー組立体３００の残り部分と協働する。第２のポケット３４８は、腰部組立体１８６が中で垂直に調節可能であるように構成される。